(57)【要約】【課題】オートフォーカス機能に対応しない撮影レンズが装着された場合であっても、撮影者が手動で正確に撮影レンズの焦点調節を行うことが可能なデジタル一眼レフカメラを提供すること。【解決手段】カメラ本体２００に装着された撮影レンズがオートフォーカス不能なマニュアルフォーカスレンズ４００であると判定された場合には、可動ミラー２０４を撮像素子２２１の撮像光路上から退避させた状態で、撮像素子２２１による被写体像の撮像動作及びＬＣＤモニタ２１３による被写体像の表示動作を繰り返し行わせる。【選択図】    図３
2005024843.tif 000002
【特許請求の範囲】
【請求項１】
レンズ交換可能なデジタル一眼レフカメラにおいて、
オートフォーカス可能な撮影レンズ又はオートフォーカス不能な撮影レンズを装着するためのマウント部と、
上記撮影レンズを介して被写体像を撮像する撮像手段と、
ファインダ光学系と、
上記撮像手段の撮像光路内に設けられ、上記撮影レンズを通過した被写体光束を上記ファインダ光学系に導く第１の位置と上記撮像光路から退避する第２の位置との間で移動可能な可動ミラーと、
上記撮像手段で撮像した被写体像を表示するための表示素子を含み、この表示素子に表示された被写体像を上記ファインダ光学系の観察光路の一部を共用して観察可能な表示手段と、
上記マウント部に装着された撮影レンズがオートフォーカス可能であるか否かを判定する判定手段と、
上記判定手段によって上記マウント部に装着された撮影レンズがオートフォーカス不能であると判定された場合に、上記可動ミラーを上記第２の位置に退避させた状態で、上記撮像手段による被写体像の撮像動作及び上記表示手段による被写体像の表示動作を繰り返し行わせる制御手段と、
を具備することを特徴とするデジタル一眼レフカメラ。
【請求項２】
上記撮像手段の前面にシャッタ機構が配置されており、
上記シャッタ機構は、上記判定手段によって上記マウント部に装着された撮影レンズがオートフォーカス不能であると判定された場合に、開状態に移行することを特徴とする請求項１に記載のデジタル一眼レフカメラ。
【請求項３】
撮像手段を有するデジタル一眼レフカメラにおいて、
マニュアルフォーカスレンズを装着可能なマウント部と、
ファインダ光学系と、
上記撮像手段の撮像光路内に設けられ、上記撮影レンズを通過した被写体光束を上記ファインダ光学系に導く第１の位置と上記撮像光路から退避する第２の位置との間で移動可能な可動ミラーと、
上記撮像手段で撮像した被写体像を表示するための表示素子を含み、この表示素子に表示された被写体像を上記ファインダ光学系の観察光路の一部を共用して観察可能な表示手段と、
を具備し、
上記マニュアルフォーカスレンズの装着に連動して上記可動ミラーを上記第２の位置に移動させるとともに、上記表示手段に上記撮像手段で撮像された被写体像を動画像として表示させることを特徴とするデジタル一眼レフカメラ。
【請求項４】
撮像手段を有するデジタル一眼レフカメラにおいて、
マニュアルフォーカスレンズを装着可能なマウント部と、
ファインダ光学系と、
上記撮像手段の撮像光路内に設けられ、上記撮影レンズを通過した上記被写体からの光束を上記ファインダ光学系に導く第１の位置と上記撮像光路から退避する第２の位置との間で移動可能な可動ミラーと、
上記撮像手段で撮像した被写体像を表示するための表示素子を含み、この表示素子に表示された被写体像を上記ファインダ光学系の観察光路の一部を共用して観察可能な表示手段と、
上記マニュアルフォーカスレンズの装着に連動して上記可動ミラーを上記第２の位置に移動させるとともに、上記表示手段に上記撮像手段で撮像している被写体像を動画像として表示させる表示制御手段と、
を具備することを特徴とするデジタル一眼レフカメラ。
【請求項５】
レンズ交換可能なデジタル一眼レフカメラにおいて、
当該デジタル一眼レフカメラに装着された撮影レンズを介して被写体像を撮像する撮像手段と、
上記被写体像を光学的に観察する第１の観察状態と、上記被写体像を上記撮像手段の出力に基づいて電子的に観察する第２の観察状態とを選択的に切り換えて観察可能な観察手段と、
上記装着された撮影レンズが手動で焦点調節を行うタイプの撮影レンズである場合に、上記第２の観察状態を選択する選択手段と、
上記選択手段によって上記第２の観察状態が選択された場合には、上記撮像手段の出力に基づいて上記撮影レンズが合焦状態であるか否かを判定する焦点調節状態判定手段と、
上記焦点調節状態判定手段による上記合焦状態の判定結果を上記観察手段に表示させる合焦表示制御手段と、
を具備することを特徴とするデジタル一眼レフカメラ。
【請求項６】
上記観察手段は、
接眼部を有するファインダ光学系と、
上記撮像手段の撮像光路内に設けられ、上記撮影レンズを通過した被写体からの光束を上記ファインダ光学系に導く第１の位置と上記撮像光路から退避する第２の位置との間で移動可能な可動ミラーと、
上記撮像手段で撮像した被写体像を表示するための表示素子を含み、この表示素子に表示された像を上記ファインダ光学系の観察光路の一部を共用して観察可能な表示手段と、
を含み、
上記第１の観察状態においては、上記可動ミラーを上記第１の位置に移動させ、
上記第２の観察状態においては、上記可動ミラーを上記第２の位置に移動させることを特徴とする請求項５に記載のデジタル一眼レフカメラ。
【請求項７】
上記表示手段は、上記焦点調節状態判定手段による上記合焦状態の判定結果をスーパーインポーズ表示する機能を有することを特徴とする請求項５に記載のデジタル一眼レフカメラ。
【請求項８】
上記焦点調節状態判定手段は、上記撮像手段の出力から上記被写体像のコントラスト変化を検出し、この検出したコントラスト変化に基づいて上記撮影レンズの合焦状態を判定することを特徴とする請求項５に記載のデジタル一眼レフカメラ。
【請求項９】
上記焦点調節状態判定手段は、山登り方式を用いて上記撮影レンズの合焦状態を判定することを特徴とする請求項５に記載のデジタル一眼レフカメラ。
【請求項１０】
上記焦点調節状態判定手段は、一旦合焦状態であると判定した後、上記コントラストが所定レベル以上変化した場合には、合焦状態から非合焦状態に変化したと判定する機能を更に有することを特徴とする請求項８に記載のデジタル一眼レフカメラ。
【発明の詳細な説明】
【０００１】
【発明の属する技術分野】
本発明は、レンズ交換可能なデジタル一眼レフカメラに関する。
【０００２】
【従来の技術】
現在、レンズ交換式の一眼レフレクス方式のカメラ（以下、一眼レフカメラと称する）においては、カメラ本体内に設けられたＴＴＬ（Ｔｈｒｏｕｇｈ  Ｔｈｅ  Ｌｅｎｓ）位相差方式の焦点検出装置を用いて撮影レンズの焦点調節状態を検出し、その検出した焦点調節状態に基づいて撮影レンズを自動的に合焦位置へと導く、所謂オートフォーカス機能を搭載したものが多い。
【０００３】
一方、多種多様なレンズを装着可能な一眼レフカメラにおいては、オートフォーカス用のレンズ駆動機構を配置することが困難なレンズや物理的にオートフォーカスが不能なレンズも存在する。したがって、これらのオートフォーカス不能なレンズをオートフォーカス機能付きのカメラに装着した場合には、撮影者は、ファインダ像、即ちフォーカシングスクリーンに結像する被写体像を見ながら、その被写体像が最もシャープに見える位置に撮影レンズが位置するように、手動で調節を行わなければならない。
【０００４】
このような手動による焦点調節の補助するための技術として、特許文献１〜３で提案されているような、測距装置で検出した測距情報をファインダ内に表示させて、合焦状態を確認可能とするフォーカスエイド表示という技術がある。このようなフォーカスエイドにより、撮影者は、合焦状態を確認しながら手動による焦点調節を行うことが可能である。
【０００５】
【特許文献１】
特開平６−３０１０９７号公報
【０００６】
【特許文献２】
特開平９−６１９２３号公報
【０００７】
【特許文献３】
特開２００２−７２３３１号公報
【０００８】
【発明が解決しようとする課題】
従来の一眼レフカメラで用いられていたフォーカシングスクリーンは、ピントの山を見やすくして撮影レンズの合焦状態が検出しやすいように、表面に光を散乱させるための微細な凹凸が形成されているので、この凹凸による光の拡散によってファインダが暗くなり、被写体像が見えにくくなることがある。また、最近用いられているフォーカシングスクリーンでは、素通しに近いスクリーンが使用される傾向にある。この場合には、フォーカシングスクリーンからピントの山を見つけることが困難になり、手動で焦点調節を行うことが困難である。
【０００９】
また、マニュアルフォーカスレンズの中には、ＴＴＬ位相差方式の焦点検出装置が正常に動作しないものもある。例えば、球面収差が大きなレンズの場合、フォーカシングスクリーンに結像する被写体像と撮像面上に結像する被写体像とにずれが生じてしまい、フォーカスエイド表示では合焦状態と表示されていても、実際に撮影を行った結果は、ピントがずれていたということも起こり得る。
【００１０】
本発明は、上記の事情に鑑みてなされたもので、オートフォーカス機能に対応しない撮影レンズが装着された場合であっても、撮影者が手動で正確に撮影レンズの焦点調節を行うことが可能なデジタル一眼レフカメラを提供することを目的とする。
【００１１】
【課題を解決するための手段】
上記の目的を達成するために、本発明の第１の態様によるデジタル一眼レフカメラは、レンズ交換可能なデジタル一眼レフカメラにおいて、レンズ交換可能なデジタル一眼レフカメラにおいて、オートフォーカス可能な撮影レンズ又はオートフォーカス不能な撮影レンズを装着するためのマウント部と、上記撮影レンズを介して被写体像を撮像する撮像手段と、ファインダ光学系と、上記撮像手段の撮像光路内に設けられ、上記撮影レンズを通過した被写体光束を上記ファインダ光学系に導く第１の位置と上記撮像光路から退避する第２の位置との間で移動可能な可動ミラーと、上記撮像手段で撮像した被写体像を表示するための表示素子を含み、この表示素子に表示された被写体像を上記ファインダ光学系の観察光路の一部を共用して観察可能な表示手段と、上記マウント部に装着された撮影レンズがオートフォーカス可能であるか否かを判定する判定手段と、上記判定手段によって上記マウント部に装着された撮影レンズがオートフォーカス不能であると判定された場合に、上記可動ミラーを上記第２の位置に退避させた状態で、上記撮像手段による被写体像の撮像動作及び上記表示手段による被写体像の表示動作を繰り返し行わせる制御手段とを具備する。
【００１２】
また、本発明の第２の態様によるデジタル一眼レフカメラは、第１の態様において、上記撮像手段の前面にシャッタ機構が配置されており、上記シャッタ機構は、上記判定手段によって上記マウント部に装着された撮影レンズがオートフォーカス不能であると判定された場合に、開状態に移行する。
【００１３】
また、本発明の第３の態様によるデジタル一眼レフカメラは、撮像手段を有するデジタル一眼レフカメラにおいて、マニュアルフォーカスレンズを装着可能なマウント部と、ファインダ光学系と、上記撮像手段の撮像光路内に設けられ、上記撮影レンズを通過した被写体光束を上記ファインダ光学系に導く第１の位置と上記撮像光路から退避する第２の位置との間で移動可能な可動ミラーと、上記撮像手段で撮像した被写体像を表示するための表示素子を含み、この表示素子に表示された被写体像を上記ファインダ光学系の観察光路の一部を共用して観察可能な表示手段とを具備し、上記マニュアルフォーカスレンズの装着に連動して上記可動ミラーを上記第２の位置に移動させるとともに、上記表示手段に上記撮像手段で撮像された被写体像を動画像として表示させる。
【００１４】
また、本発明の第４の態様によるデジタル一眼レフカメラは、撮像手段を有するデジタル一眼レフカメラにおいて、マニュアルフォーカスレンズを装着可能なマウント部と、ファインダ光学系と、上記撮像手段の撮像光路内に設けられ、上記撮影レンズを通過した上記被写体からの光束を上記ファインダ光学系に導く第１の位置と上記撮像光路から退避する第２の位置との間で移動可能な可動ミラーと、上記撮像手段で撮像した被写体像を表示するための表示素子を含み、この表示素子に表示された被写体像を上記ファインダ光学系の観察光路の一部を共用して観察可能な表示手段と、上記マニュアルフォーカスレンズの装着に連動して上記可動ミラーを上記第２の位置に移動させるとともに、上記表示手段に上記撮像手段で撮像している被写体像を動画像として表示させる表示制御手段とを具備する。
【００１５】
これら第１〜第４の態様によれば、オートフォーカス不能な撮影レンズが装着された場合であっても、撮影者が手動で正確に撮影レンズの焦点調節を行うことが可能である。
【００１６】
また、本発明の第５の態様によるデジタル一眼レフカメラは、レンズ交換可能なデジタル一眼レフカメラにおいて、当該デジタル一眼レフカメラに装着された撮影レンズを介して被写体像を撮像する撮像手段と、上記被写体像を光学的に観察する第１の観察状態と、上記被写体像を上記撮像手段の出力に基づいて電子的に観察する第２の観察状態とを選択的に切り換えて観察可能な観察手段と、上記装着された撮影レンズが手動で焦点調節を行うタイプの撮影レンズである場合に、上記第２の観察状態を選択する選択手段と、上記選択手段によって上記第２の観察状態が選択された場合には、上記撮像手段の出力に基づいて上記撮影レンズが合焦状態であるか否かを判定する焦点調節状態判定手段と、上記焦点調節状態判定手段による上記合焦状態の判定結果を上記観察手段に表示させる合焦表示制御手段とを具備する。
【００１７】
また、本発明の第６の態様によるデジタル一眼レフカメラは、第５の態様において、上記観察手段は、接眼部を有するファインダ光学系と、上記撮像手段の撮像光路内に設けられ、上記撮影レンズを通過した被写体からの光束を上記ファインダ光学系に導く第１の位置と上記撮像光路から退避する第２の位置との間で移動可能な可動ミラーと、上記撮像手段で撮像した被写体像を表示するための表示素子を含み、この表示素子に表示された像を上記ファインダ光学系の観察光路の一部を共用して観察可能な表示手段とを含み、上記第１の観察状態においては、上記可動ミラーを上記第１の位置に移動させ、上記第２の観察状態においては、上記可動ミラーを上記第２の位置に移動させる。
【００１８】
これら第５及び第６の態様によれば、オートフォーカス不能な撮影レンズが装着された場合であっても、撮影者が手動で正確に撮影レンズの焦点調節を行うことが可能である。
【００１９】
また、本発明の第７の態様によるデジタル一眼レフカメラは、第５の態様において、上記表示手段は、上記焦点調節状態判定手段による上記合焦状態の判定結果をスーパーインポーズ表示する機能を有する。
【００２０】
この第７の態様によれば、合焦状態の判定結果をスーパーインポーズ表示可能である。
【００２１】
また、本発明の第８の態様によるデジタル一眼レフカメラは、第５の態様において、上記焦点調節状態判定手段は、上記撮像手段の出力から上記被写体像のコントラスト変化を検出し、この検出したコントラスト変化に基づいて上記撮影レンズの合焦状態を判定する。
【００２２】
この第８の態様によれば、被写体像のコントラスト変化を検出することにより撮影レンズの合焦状態を判定できる。
【００２３】
また、本発明の第９の態様によるデジタル一眼レフカメラは、第５の態様において、上記焦点調節状態判定手段は、山登り方式を用いて上記撮影レンズの合焦状態を判定する。
【００２４】
この第９の態様によれば、山登り方式を用いて撮影レンズの合焦状態を判定できる。
【００２５】
また、本発明の第１０の態様によるデジタル一眼レフカメラは、第８の態様において、上記焦点調節状態判定手段は、一旦合焦状態であると判定した後、上記コントラストが所定レベル以上変化した場合には、合焦状態から非合焦状態に変化したと判定する機能を更に有する。
【００２６】
この第１０の態様によれば、合焦状態になった後でも合焦状態の判定を行うことができる。
【００２７】
【発明の実施の形態】
以下、本発明の実施の形態を図面を参照して説明する。
本一実施形態では、カメラ本体に装着されている撮影レンズが、オートフォーカス可能なオートフォーカス（ＡＦ）レンズであるのかオートフォーカス不能であり、手動で焦点調節を行うマニュアルフォーカス（ＭＦ）レンズであるのかに応じて、異なったファインダ表示制御が行われる。
【００２８】
まず、本発明の一実施形態に係るデジタル一眼レフカメラ本体にＡＦレンズが装着された場合について説明する。図１は、撮影レンズとしてＡＦレンズ１００をカメラ本体２００の図示しないマウント部に装着した状態のブロック図を示す。ここで、図１では、カメラ本体２００にストロボ発光ユニット３００も装着されている。
【００２９】
即ち、レンズ鏡筒内部には、正レンズ１０１や負レンズ１０３が配置されており、これらのレンズでＡＦレンズを構成している。これら正レンズ１０１及び負レンズ１０３は、ズーム・ピント駆動回路１０４により駆動される。
【００３０】
ここで、ズーム・ピント駆動回路１０４は、公知の電磁モータや超音波モータ等で構成されるレンズ駆動源、このレンズ駆動源を駆動制御するためのドライバ回路、及びレンズ位置を検出するためのエンコーダ装置などで構成されている。エンコーダ装置は、レンズ位置に応じた被写体距離及びズーム焦点距離をそれぞれ独立して検出する。このエンコーダ装置としては、例えば撮影レンズ鏡筒の鏡枠の外表面に設けられた図示しない金属パターン上を図示しない切片ブラシを摺動させて位置を検出するタイプの非接触式のエンコーダ装置を用いればよい。また、エンコーダ装置として、鏡枠の外表面に白黒パターンを配置し、その白黒パターンをフォトリフレクタ等で検出するタイプのものを用いても良いし、鏡枠の基準位置からの駆動量を測定してレンズの絶対位置を検出する、所謂絶対距離エンコーダを用いても良い。
【００３１】
また、正レンズ１０１と負レンズ１０３との間には、絞り機構１０２が設けられている。この絞り機構１０２は、絞り駆動回路１０５によって駆動され、カメラ本体２００内に入射する光の光量を調節する。
【００３２】
更に、撮影レンズ鏡筒内部には、ＡＦレンズ１００の光学的特性データを記憶させておくためのレンズ情報記憶回路１０６が設けられている。レンズ情報記憶回路１０６に記憶されている光学的特性データは、カメラ本体２００で読み出されて撮影時における処理や画像処理時等に利用される。
【００３３】
次に、カメラ本体内部の構成及び動作について説明する。
カメラ本体２００内部には、マイクロプロセッサ等で構成されたメインＣＰＵ２０１が設けられている。このメインＣＰＵ２０１には、データバス２０２や信号線２０３を介してカメラ本体２００内部の複数のカメラ要素（例えば、撮像手段としての撮像素子２２１や各種信号処理を行う信号処理回路２２２等）に接続されている。メインＣＰＵ２０１は、接続されているカメラ要素の動作制御を行うことにより、カメラ全体の動作の制御を行う。また、メインＣＰＵ２０１は、カメラ本体２００にＡＦレンズ１００が装着された場合に、データバス２０２を介して上記したズーム・ピント駆動回路１０４や絞り駆動回路１０５の制御も行う。
【００３４】
また、カメラ本体２００には、略中央部分がハーフミラーで構成された可動ミラー２０４が設けられている。この可動ミラー２０４は、撮像素子２２１の撮像光路上、即ちＡＦレンズ１００のレンズ光軸線上にハーフミラー部が位置するようにカメラ本体２００内部に配置される。ここで、可動ミラー２０４は、ミラー駆動回路２０５に駆動制御されて、軸２０４ａを中心として所定角度内、即ち後で詳述する撮像素子２２１の撮像光路上の位置２０４ｂ（以下、第１の位置と称する）から撮像素子２２１の撮像光路上から退避する位置２０４ｃ（以下、第２の位置と称する）の範囲内で回転可能に構成されている。露光時等では、メインＣＰＵ２０１は、ミラー駆動回路２０５を制御して可動ミラー２０４を第１の位置２０４ｂから第２の位置２０４ｃに退避駆動させる。
【００３５】
更に、可動ミラー２０４の中央背面部分には、サブミラー２０６が設けられている。即ち、ＡＦレンズ１００を介して入射した図示しない被写体からの光束（以下、被写体光束）の一部が、可動ミラー２０４に構成されたハーフミラー部を透過した後、サブミラー２０６によって図面下方向に反射される。
【００３６】
この反射方向には、セパレータ光学系２０７、ＡＦセンサ２０８などで構成される焦点検出装置が配置されている。ここで、この焦点検出装置は、公知の位相差法によって合焦位置検出を行う。即ち、サブミラー２０６で反射された被写体光束は、セパレータ光学系２０７において２像に分離された後、ＡＦセンサ２０８に入射する。ＡＦセンサ２０８は、ＡＦセンサ駆動回路２０９に接続されており、ＡＦセンサ駆動回路２０９によって駆動制御されて、結像した２像をその光量に応じた電気信号に変換してメインＣＰＵ２０１に出力する。
【００３７】
メインＣＰＵ２０１は、ＡＦセンサ２０８で生成された２像の信号に基づいて２像の間隔、即ち、正レンズ１０１と負レンズ１０３のデフォーカス量を求め、この求めたデフォーカス量から、正レンズ１０１と負レンズ１０３の駆動量データを演算する。そして、メインＣＰＵ２０１は、演算した駆動量データに基づいて、ズーム・ピント駆動回路１０４を制御して正レンズ１０１と負レンズ１０３とを合焦位置に駆動する。
【００３８】
また、可動ミラー２０４では、被写体光束の一部が図面上方向に反射される。この反射光路上には、焦点板（フォーカシングスクリーンともいう）２１０、ペンタプリズム２１１、及びファインダ接眼光学系２１２で構成されるファインダ光学系が配置されている。即ち、可動ミラー２０４で反射された被写体光束は、焦点板２１０に結像するので、撮影者は、この焦点板２１０に結像した被写体像をペンタプリズム２１１及びファインダ接眼光学系２１２を介して視認できる。
【００３９】
また、ペンタプリズム２１１の第３反射面２１１ａの外側には、表示手段としてのＬＣＤモニタ２１３が配置されている。また、ペンタプリズム３２の第３反射面２１１ａは、ハーフミラーで構成されており、この第３反射面２１１ａとＬＣＤモニタ２１３との間には、凸レンズ面２１４ａを含むプリズム２１４が配置されている。
【００４０】
ＬＣＤモニタ２１３は、画像を表示するための表示素子であるＬＣＤ（液晶表示素子）２１３ａと、このＬＣＤ２１３ａの表示面を後方から照明するためのバックライト２１３ｂとから構成されている。即ち、このＬＣＤモニタ２１３を光学式ファインダの代わりとして用いることが可能になっている。
【００４１】
ここで、ＬＣＤ２１３ａは、焦点板２１０と光学的に等価な位置に設けられている。このため、被写体電子画像が表示され、かつ、バックライト２１３ｂが点灯状態になれば、撮影者は、焦点板２１０に結像した被写体像に重ねて電子画像を観察することが可能である。即ち、電子画像を焦点板２１０上の光学像にスーパーインポーズした状態で観察可能である。また、可動ミラー２０４を第２の位置２０４ｃに退避させた状態では、ＬＣＤモニタ２１３に表示された画像だけを観察可能である。
【００４２】
また、ファインダ接眼光学系２１２の近傍には、結像レンズ２１５及び測光素子２１６が設けられている。これらは、焦点板２１０上に結像した被写体像から被写体の輝度を測定するための測光機構である。測光素子２１６は、測光の結果として得られた被写体輝度情報を、メインＣＰＵ２０１に送信する。メインＣＰＵ２０１は、送信された被写体輝度情報に基づいて露光量演算を行う。
【００４３】
また、メインＣＰＵ２０１には、データバス２０２を介してＥＥＰＲＯＭ２１７及びスイッチ入力部２１８が接続されている。ＥＥＰＲＯＭ２１７は、不揮発性の半導体メモリで構成されており、カメラの製造時における個々のばらつきを抑えるのに必要な、カメラ毎の調整値が格納される。
【００４４】
スイッチ入力部２１８は、図示しないレリーズ釦の半押し操作に連動してＯＮする第１レリーズスイッチ、レリーズ釦の深押し操作に連動してオンする第２レリーズスイッチ、カメラの電源のＯＮ／ＯＦＦを切り換えるための電源スイッチ、単写モードと連写モードとの切り換え等の各種モード切り換えを行うための図示しないモード釦に連動してオンするモードスイッチ等の複数のスイッチから構成されており、このスイッチ入力部２１８に含まれる何れかのスイッチが操作された場合には、そのスイッチに対応した操作信号がメインＣＰＵ２０１に供給される。メインＣＰＵ２０１は、この操作信号を受けて各種制御を開始する。
【００４５】
例えば、メインＣＰＵ２０１が、第１レリーズスイッチのＯＮ状態を判定した場合には、ＡＦセンサ駆動回路２０９を制御して、ＡＦセンサ２０８上の２像間の距離、即ちデフォーカス量を演算する。そして、演算したデフォーカス量に基づいて、ズーム・ピント駆動回路１０４を駆動してＡＦレンズ１００の焦点調整を行う。
【００４６】
また、メインＣＰＵ２０１が、第２レリーズスイッチのＯＮ状態を判定した場合には、ミラー駆動回路２０５を制御して、可動ミラー２０４を第１の位置２０４ｂから第２の位置２０４ｃに移動させる。また、測光素子２１６からの出力に基づく被写体輝度情報より、予め設定されている図示しないプログラム線図に基づき適正な絞り値とシャッタ秒時を求める。そして、メインＣＰＵ２０１は、求めた絞り値に基づいて絞り駆動回路１０５を制御して絞り機構１０２を駆動させる。更に、メインＣＰＵ２０１は、求めたシャッタ秒時でシャッタ駆動回路２１９を制御して、可動ミラー２０４の後方に設けられたシャッタ２２０を駆動させる。
【００４７】
即ち、可動ミラー２０４が第２の位置２０４ｃに退避している状態で、シャッタ２２０が開状態となると、ＡＦレンズ１００を介して入射した被写体像が撮像素子２２１に結像する。撮像素子２２１は、結像した被写体像を電気信号（画像信号）に変換した後、信号処理回路２２２に出力する。信号処理回路２２２は、入力された画像信号に対して各種信号処理を行う。
【００４８】
また、信号処理回路２２２は、データバス２２３を介して、ＥＰＲＯＭ２２４、ＳＤＲＡＭ（シンクロナスダイナミックランダムアクセスメモリ）２２５、及びフラッシュメモリ２２６にも接続されている。
【００４９】
ＥＰＲＯＭ２２４は、信号処理回路２２２に含まれるプロセッサ（ＣＰＵ）で処理されるプログラムを格納する。ＳＤＲＡＭ２２５は、画像処理前の画像データや画像処理中の画像データを一時的に記憶する。フラッシュメモリ２２６は、最終的に確定された画像データを記憶する。ここで、ＳＤＲＡＭ２２５は、揮発性の一時的記憶手段であり、高速動作が可能であるが電源供給が遮断されると記憶内容が消滅する。一方、フラッシュメモリ２２６は、不揮発性記憶手段であり、低速であるがカメラの電源がＯＦＦされても記憶内容が保存される。
【００５０】
ここで、信号処理回路２２２で行われる画像処理について図２を参照して更に詳しく説明する。図２は、図１における信号処理回路２２２の詳細とそれに関連する周辺回路（撮像素子２２１及びＬＣＤモニタ２１３について示したブロック図である。
【００５１】
信号処理回路２２２は、内部にＲＩＳＣプロセッサ、カラープロセッサ、ＪＰＥＧプロセッサ等を含み、デジタル画像信号の圧縮・伸張処理、ホワイトバランス処理、エッジ強調処理等の画像処理を行う回路である。また、信号処理回路２２２は、撮像素子２２１から出力された画像信号をＬＣＤモニタ２１３に出力するためのコンポジット信号（輝度信号、色差信号）に変換する処理も行う。
【００５２】
即ち、信号処理回路２２２には、信号処理動作を制御する制御回路としてのＣＰＵ２２２ａと、このＣＰＵ２２２ａに接続され、ＣＰＵ２２２ａからの制御信号に従って動作する複数の回路が含まれている。また、ＣＰＵ２２２ａは、図１に示した信号線２０３を介してメインＣＰＵ２０１と接続されており、メインＣＰＵ２０１から出力された制御信号に基づいて信号処理回路２２２内の各回路を制御する。
【００５３】
第１の画像処理回路２２２ｂは、ＣＰＵ２２２ａで設定された駆動条件に従って撮像素子２２１を駆動すると共に、撮像素子２２１から出力されたアナログ画像信号をＡ／Ｄ変換してデジタル画像信号を生成する。また、第１の画像処理回路２２２ｂは、撮像素子２２１の遮光部分の画素信号に基づいて画像信号の補正も行う。
【００５４】
間引き・抽出処理回路２２２ｃは、第１の画像処理回路２２２ｂから出力されたデジタル画像信号に対して間引き処理（解像度を低下させてデータ量を少なくする処理）を施して、第２の画像処理回路２２２ｄ及び第３の画像処理回路２２２ｅに出力する。ここで、第２の画像処理回路２２２ｄに出力する画像信号の間引きの度合いは、撮影者によって設定された解像度に応じて決定される。また、第３の画像処理回路２２２ｅに出力する画像信号の間引きの度合いは、画像表示に適した解像度に応じてＣＰＵ２２２ａによって決定される。
【００５５】
更に、間引き・抽出処理回路２２２ｃは、画像信号の一部を抽出してホワイトバランス処理回路（以下、ＷＢ処理回路）２２２ｆ及びコントラスト判定回路２２２ｇに出力する。ＷＢ処理回路２２２ｆは、画像の色バランス（ホワイトバランス）を調整するためのホワイトバランス情報（ＷＢ情報）を演算する回路である。ＷＢ処理回路２２２ｆで演算されたＷＢ情報は、第２の画像処理回路２２２ｄにはＣＰＵ２２２ａを経由して送信され、第３の画像処理回路２２２ｅには直接送信される。
【００５６】
コントラスト判定回路２２２ｇは、間引き・抽出処理回路２２２ｃで処理された画像データの所定領域内、具体的には、撮影画面内のＡＦセンサ２０８の測距領域（ＡＦターゲット領域）について、最も輝度レベルが高い画素と最も低い画素とを選び出して、その差をコントラスト情報として出力する回路である。このコントラスト情報は、ＣＰＵ２２２ａを介してメインＣＰＵ２０１に送られる。
【００５７】
第２の画像処理回路２２２ｄは、フラッシュメモリ２２６に記憶するための画像信号を生成する回路で、γ補正、画像信号のデータビット数の削減、ＷＢ情報に基づく色調整、ＲＧＢ信号からＹＣｂＣｒ信号への変換、撮像素子２２１の欠陥画素補正、スミア補正、色相や色度等の公知の処理を行う後段処理回路である。
【００５８】
第３の画像処理回路２２２ｅは、ＬＣＤモニタ２１３に表示するための画像を生成する回路で、γ補正，イメージ信号のデータビット数の削減、ＷＢ情報に基づく色調整、ＲＧＢ信号からＹＣｂＣｒ信号への変換等の公知の処理を行う簡易後段処理回路である。一般的に、ＬＣＤモニタ２１３に撮像画像を繰り返し表示するためには、ソフトウェアによる処理では速度が間に合わないことが多い。したがって、表示のための画像処理は、この第３の画像処理回路２２２ｅにおいてハードウェア的に処理する。
【００５９】
ビデオ・デコーダ２２２ｈは、コンポジット信号（ＹＣｂＣｒ）信号を、例えばＮＴＳＣ信号に変換してＬＣＤモニタ２１３に表示させる。また、ＪＰＥＧ圧縮／伸張処理回路２２２ｉは、第２の画像処理回路２２２ｄで処理された画像信号をフラッシュメモリ２２６に記憶する前にＪＰＥＧ圧縮を施したり、フラッシュメモリ２２６に記憶されたＪＰＥＧ画像を読み出して伸張したりするための回路である。
【００６０】
次に、ストロボ発光ユニット３００について説明する。ストロボ発光ユニット３００においては、ストロボ制御回路３０１が、データバス２０２を介してカメラ本体２００のメインＣＰＵ２０１と接続されている。このストロボ制御回路３０１は、トリガ回路３０２にも接続されている。即ち、ストロボ制御回路３０１は、メインＣＰＵ２０１に制御されて、内部の図示しないストロボ用メインコンデンサの充電処理の制御及びトリガ回路３０２に対してストロボ発光開始指示の制御を行う。
【００６１】
即ち、ストロボ制御回路３０１からトリガ回路３０２に対してストロボ発光の開始が指示された場合に、トリガ回路３０２は、発光管３０３にトリガ信号を出力する。発光管３０３においては、トリガ信号を受けて内部に封止されているキセノンガスが励起して発光が行われる。この発光光は、反射傘３０４で反射され、更に発光パネル３０５を通過して被写体に照射される。ここで、このようなストロボ発光ユニット３００は、カメラ本体２００からポップアップするように構成されている。
【００６２】
次に、図３を参照して、撮影レンズとしてＡＦ機能を有していないＭＦレンズ４００がカメラ本体２００に装着された場合について説明する。即ち、ＭＦレンズ４００は、正レンズ４０１、絞り機構４０２、及び負レンズ４０３で構成されており、これらは図示しない駆動機構を介して手動操作により駆動される。また、ＭＦレンズ４００は、ＡＦ機能を有してないので、ズーム・ピント駆動回路１０４、絞り駆動回路１０５、及びレンズ情報記憶回路１０６に相当する構成が設けられていない。
【００６３】
ここで、カメラ本体２００は、撮影レンズ側にレンズ情報記憶回路１０６が存在しているか否かを判定することにより、装着されているレンズがＡＦレンズ又はＭＦレンズの何れであるのかを判定する。この判定は、レンズ情報記憶回路１０６からレンズ情報が読み出せるか否かを判定することで行う。即ち、メインＣＰＵ２０１は、レンズ情報が読み出せる場合にはＡＦレンズ１００が装着されていると判定し、読み出せない場合にはＭＦレンズ４００が装着されていると判定する。
【００６４】
前述したように、ＭＦレンズを用いた場合には、焦点板２１０に結像する被写体像と撮像素子２２１に結像する被写体像とが一致しない場合があり、手動による合焦結果と実際の合焦位置とにずれが生じてしまうことがある。
【００６５】
そこで、本一実施の形態では、カメラ本体２００にＭＦレンズ４００が装着された場合には、メインＣＰＵ２０１は、ミラー駆動回路２０５を制御して可動ミラー２０４を撮像光路外の第２の位置２０４ｃに退避させ、更に、シャッタ駆動回路２１９を制御してシャッタ２２０を開状態にする。
【００６６】
この状態で、メインＣＰＵ２０１は、撮像素子２２１に被写体像の撮像を繰り返し行わせる。そして、撮像素子２２１は、得られた画像信号を信号処理回路２２２に出力する。信号処理回路２２２は、入力された画像信号をコンポジット信号に変換してＬＣＤモニタ２１３に出力する。ＬＣＤモニタ２１３は、入力された信号に基づいて動画像表示を行う。これにより、撮影者は、光学式のファインダを用いなくとも被写体像を確認できる。この場合には、焦点板２１０に結像した被写体像ではなく、撮像素子２２１に結像した被写体像に基づいて画像表示を行うので、手動による合焦結果が実際の合焦位置とずれてしまうことがない。
【００６７】
次に、このような構成を持つデジタル一眼レフカメラにおける制御を図４のフローチャートに従って説明する。図４は本一実施の形態に係るデジタル一眼レフカメラのメイン動作のフローチャートである。
【００６８】
電源投入直後や電池装填直後などでこのフローチャートが開始し、メインＣＰＵ２０１は、まず、初期設定としてフラグ類のリセットを行う（ステップＳ１）。次に、メインＣＰＵ２０１は、撮影レンズ側と通信を行い、レンズ情報記憶回路１０６からレンズ情報の読み込みを開始する（ステップＳ２）。次に、メインＣＰＵ２０１は、レンズ情報記憶回路１０６からレンズ情報を読み込めたか否かにより、装着されている撮影レンズがＡＦレンズ１００であるか否かを判定する（ステップＳ３）。
【００６９】
ステップＳ３の判定において、装着されているレンズがＡＦレンズ１００でないと判定した場合には、ＭＦレンズ４００である。この場合に、メインＣＰＵ２０１は、ＭＦレンズが装着されているか否かを示すフラグであるマニュアルフォーカスフラグ（以下、ＭＦ＿Ｆと称する）に１がセットされているか否かを判定する（ステップＳ４）。ＭＦ＿Ｆに１がセットされていないと判定した場合に、メインＣＰＵ２０１は、可動ミラー２０４を第２の位置２０４ｃに退避させた後（ステップＳ５）、シャッタ２２０を開放する（ステップＳ６）。次に、メインＣＰＵ２０１は、ＭＦ＿Ｆに１をセットして（ステップＳ７）、ＬＣＤモニタ２１３に動画像表示を開始させるように、信号処理回路２２２に指示を送る（ステップＳ８）。これによってファインダ内に動画表示が行われる。その後、メインＣＰＵ２０１は、ファインダ内にピント状態に関する表示を行って（ステップＳ９）、ステップＳ１５に移行する。なお、ステップＳ９の「ファインダ内表示処理」については、後に詳述する。
【００７０】
一方、ステップＳ４の判定において、ＭＦ＿Ｆに１がセットされていると判定した場合には、ＭＦレンズ４００が装着されており、ＭＦレンズ用の処理が既になされているので、ステップＳ５〜ステップＳ８の処理を省略してステップＳ９に移行する。
【００７１】
また、ステップＳ３の判定において、装着されているレンズがＡＦレンズ１００であると判定した場合に、メインＣＰＵ２０１は、ＭＦ＿Ｆに１がセットされているか否かを判定する（ステップＳ１０）。このステップＳ１０の判定において、ＭＦ＿Ｆに１がセットされていると判定した場合に、メインＣＰＵ２０１は、ＭＦレンズ４００装着時に行っていた処理を終了させる。まず、メインＣＰＵ２０１は、ＬＣＤモニタ２１３に行っていた動画表示を終了させるように、信号処理回路２２２に指示を送る（ステップＳ１１）。次に、メインＣＰＵ２０１は、シャッタ２２０を閉じ（ステップＳ１２）、可動ミラー２０４を第１の位置２０４ｂに戻した後（ステップＳ１３）、ＭＦ＿Ｆに０をセットする（ステップＳ１４）。
【００７２】
一方、ステップＳ１０の判定において、ＭＦ＿Ｆに１がセットされていないと判定した場合には、ＡＦレンズ１００が装着されており、ＡＦレンズ用の処理が既になされているので、ステップＳ１１〜ステップＳ１４の処理を省略してステップＳ１５に移行する。
【００７３】
ＭＦレンズ４００又はＡＦレンズ１００用の処理を行った後、メインＣＰＵ２０１は、スイッチ入力部２１８に含まれる第１レリーズスイッチ（１ｓｔＳＷ）がＯＮされたか否かを判定する（ステップＳ１５）。この判定において、第１レリーズスイッチがＯＮされたと判定した場合には、撮像処理を行う（ステップＳ１６）。一方、第１レリーズスイッチがＯＮされていないと判定した場合には、ステップＳ２に戻る。なお、ステップＳ１６の「撮像処理」については、後で詳述する。
【００７４】
撮像処理の後、メインＣＰＵ２０１は、電源スイッチ（ＳＷ）がＯＦＦされたか否かを判定する（ステップＳ１７）。このステップＳ１７の判定において、電源スイッチがＯＦＦされていないと判定した場合には、ステップＳ２に戻る。一方、ステップＳ１７の判定において、電源スイッチがＯＦＦされたと判定した場合に、メインＣＰＵ２０１は、停止処理を行ってカメラを休止モードに移行させる。
【００７５】
次に、図４のステップＳ９におけるファインダ内表示処理について図５を参照して説明する。このファインダ内表示処理においては、動画像表示状態における合焦状態をファインダ内にスーパーインポーズ表示する。ここで、ファインダに動画像を表示させている際には、可動ミラー２０４が第２の位置２０４ｃに退避しているので、ＡＦセンサ２９を用いて合焦状態を判定することができない。そこで、本一実施形態では、ファインダ内に動画像表示を行っている際には、図６に示す分布図のように撮像素子２２１で検出された被写体像から被写体のコントラスト変化を検出し、この検出したコントラストが最大となるレンズ位置を合焦位置として検出する、所謂「山登り方式」を用いて合焦状態の判定を行う。
【００７６】
即ち、ファインダ内表示処理において、メインＣＰＵ２０１は、まず、信号処理回路２２２にコントラスト値の読み込みを行わせる（ステップＳ２１）。次に、信号処理回路２２２内部のＣＰＵ２２２ａは、読み込んだコントラスト値が１回目のものであるか否かを判定する（ステップＳ２２）。この判定において、読み込んだコントラスト値が１回目のものであると判定した場合に、ＣＰＵ２２２ａは、内部の図示しないレジスタＣＯＮＴ１に１回目のコントラスト値を記憶させて（ステップＳ２３）、このフローチャートを抜ける。
【００７７】
一方、ステップＳ２２の判定において、読み込ませたコントラスト値が２回目のものであると判定した場合に、ＣＰＵ２２２ａは、内部の図示しないレジスタＣＯＮＴ２に、ステップＳ２１で読み込んだコントラスト値を記憶させる（ステップＳ２４）。次に、ＣＯＮＴ１に記憶されたコントラスト値とＣＯＮＴ２に記憶されたコントラスト値とを比較してＣＯＮＴ２に記憶されたコントラスト値のほうがＣＯＮＴ１に記憶されたコントラスト値よりも大きいか否かを判定する（ステップＳ２５）。
【００７８】
ステップＳ２５の判定において、ＣＯＮＴ２に記憶されたコントラスト値のほうがＣＯＮＴ１に記憶されたコントラスト値よりも大きいと判定した場合には、コントラストが向上して合焦状態に近づいた場合である（例えば、図６において、レンズ位置がＸ１からＸ２に変化した場合）ので、ＣＰＵ２２２ａは、アップフォーカスフラグ（以下、ＵＰ＿Ｆと称する）に１をセットした後（ステップＳ２６）、合焦状態であることを示す合焦フラグ（以下、ＩＦ＿Ｆと称する）に１がセットされているか否かを判定する（ステップＳ２７）。
【００７９】
ステップＳ２７の判定において、ＩＦ＿Ｆに１がセットされていないと判定した場合には、まだ合焦状態でないので、ＬＣＤモニタ２１３上に図７（ｂ）に示すような非合焦状態を示す文字列表示５０２をスーパーインポーズ表示させる（ステップＳ２８）。一方、ステップＳ２７の判定において、ＩＦ＿Ｆに１がセットされていると判定した場合には、現在、合焦状態であるので、ＣＰＵ２２２ａは、ＬＣＤモニタ２１３上に図７（ａ）に示すような合焦状態を示す文字列表示５０２をスーパーインポーズ表示させる（ステップＳ２９）。表示終了後は、ＣＯＮＴ２に記憶された値をＣＯＮＴ１に記憶させてＣＯＮＴ１の値を更新して（ステップＳ３０）、このフローチャートを抜ける。
【００８０】
また、ステップＳ２５の判定において、ＣＯＮＴ２に記憶されたコントラスト値がＣＯＮＴ１に記憶されたコントラスト値以下であると判定した場合に、ＣＰＵ２２２ａは、ＵＰ＿Ｆに１がセットされているか否かを判定する（ステップＳ３１）。この判定において、ＵＰ＿Ｆに１がセットされていると判定した場合には、レンズ位置がＸ４の場合であるので、ＬＣＤモニタ２１３に合焦表示を行わせた後（ステップＳ３２）、ＵＰ＿Ｆに０をセットする（ステップＳ３３）。次に、ＣＰＵ２２２ａは、ＩＦ＿Ｆに１をセットした後（ステップＳ３４）、合焦位置のコントラスト値を記憶させておくレジスタＣＯＮＴ０に、現在のＣＯＮＴ１の値を記憶させる（ステップＳ３５）。その後、ステップＳ３０に移行する。
【００８１】
また、ステップＳ３１の判定において、ＵＰ＿Ｆに１がセットされていないと判定した場合に、ＣＰＵ２２２ａは、ＩＦ＿Ｆに１がセットされているか否かを判定する（ステップＳ３６）。この判定において、ＩＦ＿Ｆに１がセットされていると判定した場合に、ＣＰＵ２２２ａは、ＣＯＮＴ０に記憶されたコントラスト値とＣＯＮＴ２に記憶されたコントラスト値の差分の絶対値をとり、この値が許容値αよりも大きいか否かを判定する（ステップＳ３７）。
【００８２】
ここで、このステップＳ３７の演算は、合焦位置Ｘ４からレンズ位置がどれだけ変化したのかを判定するための演算である。即ち、ステップＳ３１の判定において、ＵＰ＿Ｆに１がセットされていないと判定された場合には、レンズ位置がＸ４からコントラスト値の低下する位置に移動した（例えば、Ｘ４からＸ５）ことを意味する。しかし、本一実施形態では、コントラストがＣＯＮＴ０の値（最大コントラスト値）からαの範囲にある場合には、合焦状態であると判定する。なお、この許容値αは所定値としてもよいが、このαは、ＣＯＮＴ０の値により変化させたほうが好ましい値なので、ＣＯＮＴ０に対するαをテーブルデータとして記憶させておき、ステップＳ３１の判定では、ＣＯＮＴ０に対応するαをテーブルデータの中から読み出すようにしてもよい。
【００８３】
即ち、ステップＳ３７の判定において、ＣＯＮＴ０とＣＯＮＴ２との差分の絶対値が許容値α以下であると判定した場合には、合焦状態であるので、ＣＰＵ２２２ａはＬＣＤモニタ２１３に合焦表示を行わせた後（ステップＳ３８）、ステップＳ３０に移行する。一方、ステップＳ３７の判定において、ＣＯＮＴ０とＣＯＮＴ２との差分の絶対値が許容値α以下であると判定した場合には、非合焦状態であるので、ＣＰＵ２２２ａはＬＣＤモニタ２１３に非合焦表示を行わせた後（ステップＳ３９）、ＩＦ＿Ｆに０をセットする（ステップＳ４０）。その後、ステップＳ３０に移行する。
【００８４】
また、ステップＳ３６の判定において、ＩＦ＿Ｆに１がセットされていないと判定した場合に、ＣＰＵ２２２ａは、ＬＣＤモニタ２１３に非合焦表示を行わせる（ステップＳ４１）。その後、ステップＳ３０に移行する。
【００８５】
次に、図４のステップＳ１６における撮像処理について図８を参照して説明する。この撮像処理において、メインＣＰＵ２０１は、まず、ＭＦ＿Ｆに１がセットされているか否かを判定し（ステップＳ５１）、現在装着されている撮影レンズがＡＦレンズ１００とＭＦレンズ４００の何れであるかを判定する。
【００８６】
ステップＳ１の判定において、ＭＦ＿Ｆに１がセットされていると判定した場合には、装着されている撮影レンズがＡＦレンズ１００の場合である。この場合にメインＣＰＵ２０１は、測光センサ２１５によって測光を行うと共に、この時の測光結果から、適正な絞り値とシャッタ秒時を求める露光演算１を実行する（ステップＳ５２）。次に、ＡＦセンサ２０８によって検出した像からデフォーカス量を求め、この値に応じてＡＦレンズ１００を駆動させる（ステップＳ５３）。
【００８７】
次に、メインＣＰＵ２０１は、第２レリーズスイッチ（２ｎｄＳＷ）がＯＮされたか否かを判定する（ステップＳ５４）。この判定において、第２レリーズスイッチがＯＮされたと判定した場合に、メインＣＰＵ２０１は、可動ミラー２０４を第２の位置２０４ｃに退避させた後（ステップＳ５５）、絞り機構１０２を絞って（ステップＳ５６）、信号処理回路２２２に静止画の取り込みを開始するように指示する（ステップＳ５７）。その後、ステップＳ５２で求めたシャッタ秒時だけシャッタ２２０を開放する（ステップＳ５８）。その後、メインＣＰＵ２０１は、信号処理回路２２２に取り込んだ画像の画像処理を行うように指示する（ステップＳ５９）。
【００８８】
画像の取り込み及び画像処理終了後、メインＣＰＵ２０１は、絞り機構１０２を開放し（ステップＳ６０）、可動ミラー２０４を第１の位置２０４ｂに戻した後（ステップＳ６１）、信号処理回路２２２に、画象処理した画像をフラッシュメモリ２２６に記憶させるように指示する（ステップＳ６２）。この後、ステップＳ７２に移行する。
【００８９】
また、ステップＳ５４の判定において、第２レリーズスイッチがＯＮされていないと判定した場合に、メインＣＰＵ２０１は第１レリーズスイッチがＯＮ状態であるか否かを判定する（ステップＳ６３）。この判定において、第１レリーズスイッチがＯＮされていると判定した場合には、ステップＳ５４に戻る。一方、ステップＳ６３の判定において、第１レリーズスイッチがＯＦＦされたと判定した場合には、このフローチャートを抜ける。
【００９０】
また、ステップＳ５１の判定において、ＭＦ＿Ｆに１がセットされていると判定した場合には、現在装着されている撮影レンズがＭＦレンズ４００である。この場合には、可動ミラー２０４が第２の位置２０４ｃに退避しており、測光素子２１５による測光を行うことができないので、撮像素子２２１の中央部付近に結像した像の明るさの平均値に基づいて被写体輝度情報を求める。ここで、ＭＦレンズ４００には、絞り起動機構１０６が設けられていないので、絞り値を求める必要がない。このため、露光量演算２としては、シャッタ秒時のみを求める（ステップＳ６４）。
【００９１】
次に、メインＣＰＵ２０１は、第２レリーズスイッチがＯＮされたか否かを判定する（ステップＳ６５）。この判定において、第２レリーズスイッチがＯＮされたと判定した場合に、メインＣＰＵ２０１は、信号処理回路２２２に動画表示停止の指示を送り（ステップＳ６６）、静止画取り込みの指示を送る（ステップＳ６７）。次に所定のシャッタ秒時経過後、シャッタ２２０を閉じて（ステップＳ６８）、信号処理回路２２２に画像処理を開始させるように指示を行う（ステップＳ６９）。その後、信号処理回路２２２に、画象処理した画像をフラッシュメモリ２２６に記憶させるように指示する（ステップＳ７０）。この後、ステップＳ７２に移行する。
【００９２】
一方、ステップＳ６５の判定において、第２レリーズスイッチがＯＮされていないと判定した場合に、メインＣＰＵ２０１は第１レリーズスイッチがＯＮ状態であるか否かを判定する（ステップＳ７１）。この判定において、第１レリーズスイッチがＯＮされていると判定した場合には、ステップＳ６５に戻る。一方、ステップＳ７１の判定において、第１レリーズスイッチがＯＦＦされたと判定した場合には、このフローチャートを抜ける。
【００９３】
また、画像記憶の終了後、メインＣＰＵ２０１は、第１レリーズスイッチがＯＦＦされたか否かを判定し（ステップＳ７２）、第１レリーズスイッチがＯＦＦされたと判定した場合に、このフローチャートを抜ける。
【００９４】
以上実施の形態に基づいて本発明を説明したが、本発明は前述した実施の形態に限定されるものではなく、本発明の要旨の範囲内で種々の変形や応用が可能なことは勿論である。
【００９５】
さらに、上記した実施の形態には種々の段階の発明が含まれており、開示される複数の構成要件の適当な組合せにより種々の発明が抽出され得る。例えば、実施の形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【００９６】
【発明の効果】
以上詳述したように、本発明によれば、オートフォーカス機能に対応しない撮影レンズが装着された場合であっても、撮影者が手動で正確に撮影レンズの焦点調節を行うことが可能なデジタル一眼レフカメラを提供することができる。
【図面の簡単な説明】
【図１】本発明の一実施形態に係るデジタル一眼レフカメラにオートフォーカス可能な撮影レンズを装着した場合の構成を示すブロック図である。
【図２】信号処理回路のより詳細な構成を示すブロック図である。
【図３】本発明の一実施形態に係るデジタル一眼レフカメラにオートフォーカス不能な撮影レンズを装着した場合の構成を示すブロック図である。
【図４】本発明の一実施形態に係るデジタル一眼レフカメラにおけるメイン制御のフローチャートである。
【図５】ファインダ内表示のフローチャートである。
【図６】レンズ位置に対するコントラスト値を示した分布図である。
【図７】図７（ａ）は合焦表示の表示例を示す図であり、図７（ｂ）は非合焦表示の表示例を示す図である。
【図８】撮像動作のフローチャートである。
【符号の説明】１００…ＡＦレンズ、１０１…正レンズ、１０２…絞り機構、１０３…負レンズ、１０４…ズーム・ピント駆動回路、１０５…絞り駆動回路、１０６…レンズ情報記憶回路、２００…カメラ本体、２０１…メインＣＰＵ、２０２，２２３…データバス、２０３…信号線、２０４…可動ミラー、２０５…ミラー駆動回路、２０６…サブミラー、２０７…セパレータ光学系、２０８…ＡＦセンサ、２０９…ＡＦセンサ駆動回路、２１０…焦点板、２１１…ペンタプリズム、２１２…ファインダ接眼光学系、２１３…ＬＣＤモニタ、２１５…結像レンズ、２１６…測光素子、２１７…ＥＥＰＲＯＭ、２１８…スイッチ入力部、２１９…シャッタ駆動回路、２２０…シャッタ、２２１…撮像素子、２２２…信号処理回路、２２２ａ…ＣＰＵ、２２２ｂ…第１の画像処理回路、２２２ｃ…間引き・抽出処理回路、２２２ｄ…第２の画像処理回路、２２２ｅ…第３の画像処理回路、２２２ｆ…ホワイトバランス（ＷＢ）処理回路、２２２ｇ…コントラスト判定回路、２２２ｈ…ビデオ・デコーダ、２２２ｉ…伸張処理回路、２２４…ＥＰＲＯＭ、２２５…ＳＤＲＡＭ、２２６…フラッシュメモリ、３００…ストロボ発光ユニット、３０１…ストロボ制御回路、３０２…トリガ回路、３０３…発光管、３０４…反射傘、３０５…発光パネル、４００…ＭＦレンズ
【図１】
2005024843.tif 000003
【図２】
2005024843.tif 000004
【図３】
2005024843.tif 000005
【図４】
2005024843.tif 000006
【図５】
2005024843.tif 000007
【図６】
2005024843.tif 000008
【図７】
2005024843.tif 000009
【図８】
2005024843.tif 000010